(57)【特許請求の範囲】
【請求項１】
躯体の外側に複数の外壁パネル（７）を貼設して外壁を構成する住宅において、外壁パネル（７）の外壁面に異なる素材を貼設して特殊外壁パネル（３）を構成し、住宅（２０）の外壁部に部分的に配置し、前記特殊外壁パネル（３）は金属素材が用いられた金属調パネル（２５）とし、該金属調パネル（２５）は、外壁パネル（７）に金属外壁板（２７）を、隣接する外壁パネル（７）の境界を跨がないように、着脱可能に貼設して構成し、該金属外壁板（２７）は金属外壁板（２７ａ）と取付枠（２７ｂ）で構成し、該金属外壁板（２７ａ）をエクスパンドメタル又はパンチングメタルで構成し、該取付枠（２７ｂ）は断面略コ字形状に構成し、壁側片（２７ｂｂ）及び外側片（２７ｂａ）の二つの垂直片を有し、該壁側片（２７ｂｂ）を長尺として、側面視において壁側片（２７ｂｂ）及び外側片（２７ｂａ）の重ならない部分に、前記外壁パネル（７）に金属外壁板（２７）を取り付けるための、螺子（３２）を貫入する孔（２７ｃ）を穿設し、前記外側片（２７ｂａ）には金属外壁板（２７ａ）を貼設し、前記金属外壁板（２７）を外壁パネル（７）に取り付ける時は、外壁パネル（７）に設けられた螺子孔に、前記取付枠（２７ｂ）に穿設した孔（２７ｃ）を貫通して螺子（３２）を嵌入し、該金属外壁板（２７）の外側から金属外壁板（２７ａ）に形成されている間隙に工具を差し込んで、前記螺子（３２）を回して、外壁パネル（７）と取付枠（２７ｂ）とを固定することを特徴とする住宅の外壁。
【発明の詳細な説明】
【０００１】
【発明の属する技術分野】
本発明は、住宅の外壁の構成技術に関する。
【０００２】
【従来の技術】
従来、外壁パネルを住宅の躯体に貼設して、外壁を構築する外壁施工方法が知られている。これらの外壁パネルはコンクリート素材によって構成され、不燃素材を利用して防火外壁とされることがある。
しかし、コンクリート素材によって構成された外壁パネルには、同一素材で構成されるために意匠に限界があり、コンクリート素材の外壁パネルを、全面的に複数貼設して仕上げられた住宅は、その外観が単調になりがちである。
そこで、比較的コンクリート素材は自由に成形できるので外壁面に様々な模様や色彩を付けて外壁を装飾したり、また、陶磁器質素材や石素材等で構成されたブロックを貼設したりすることがある。
【０００３】
【発明が解決しようとする課題】
本発明では、外壁パネルのファザードに異なる素材（石、木、金属等）を組み合わせることにより、人に優しい味わい、地域や街並みとのなじみ感及び調和感を付加すると共に、メンテナンスをも考慮した外壁パネルの構造を提案しようとするものである。
【０００４】
【課題を解決するための手段】
本発明の解決しようとする課題は以上の如くであり、次にこの課題を解決するための手段を説明する。
【０００５】
躯体の外側に複数の外壁パネル（７）を貼設して外壁を構成する住宅において、外壁パネル（７）の外壁面に異なる素材を貼設して特殊外壁パネル（３）を構成し、住宅（２０）の外壁部に部分的に配置し、前記特殊外壁パネル（３）は金属素材が用いられた金属調パネル（２５）とし、該金属調パネル（２５）は、外壁パネル（７）に金属外壁板（２７）を、隣接する外壁パネル（７）の境界を跨がないように、着脱可能に貼設して構成し、該金属外壁板（２７）は金属外壁板（２７ａ）と取付枠（２７ｂ）で構成し、該金属外壁板（２７ａ）をエクスパンドメタル又はパンチングメタルで構成し、該取付枠（２７ｂ）は断面略コ字形状に構成し、壁側片（２７ｂｂ）及び外側片（２７ｂａ）の二つの垂直片を有し、該壁側片（２７ｂｂ）を長尺として、側面視において壁側片（２７ｂｂ）及び外側片（２７ｂａ）の重ならない部分に、前記外壁パネル（７）に金属外壁板（２７）を取り付けるための、螺子（３２）を貫入する孔（２７ｃ）を穿設し、前記外側片（２７ｂａ）には金属外壁板（２７ａ）を貼設し、前記金属外壁板（２７）を外壁パネル（７）に取り付ける時は、外壁パネル（７）に設けられた螺子孔に、前記取付枠（２７ｂ）に穿設した孔（２７ｃ）を貫通して螺子（３２）を嵌入し、該金属外壁板（２７）の外側から金属外壁板（２７ａ）に形成されている間隙に工具を差し込んで、前記螺子（３２）を回して、外壁パネル（７）と取付枠（２７ｂ）とを固定するものである。
【０００６】
【発明の実施の形態】
次に、発明の実施の形態を説明する。
【０００７】
図１は本発明の一実施例に係る住宅の全体的な構成を示した側面図、図２は同じく側面図である。
【０００８】
図３は石調パネルの取付部を示す側断面図、図４は同じく平面図、図５は同じく裏面断面図、図６は同じく取付部を示す側断面拡大図である。
【０００９】
図７は金属調パネルを貼設した壁を示す側面図、図８は金属調パネルの取付部を示す側断面図、図９は同じく取付部の上部を示す側断面拡大図。
【００１０】
図１０は同じく取付部の下部を示す側断面拡大図、図１１は同じく取付部の上部を示す斜視図である。
【００１１】
図１及び図２に示す如く、本発明に係る住宅２０の外壁は、全面的に外壁パネル７及び特殊外壁パネル３を貼設して外壁を構成しており、コンクリート素材が全面的に露出することによって単調的になりがちな外観の一部に、特徴的な特殊外壁パネル３を貼設することで、住宅２０の外観に風合いを与えて住宅２０の美観の向上を図ろうとするものである。
【００１２】
本実施例における住宅２０では、２階建ての本屋２１と、該本屋２１上に小部屋部２２を設けて２．５階建てとしている。そして、本屋２１部の外壁には、特殊外壁パネル３として、石調パネル２４を貼設した箇所を部分的に設けて、石調パネル２４の重圧感により外壁のグレードを向上するようにしている。
また、前記小部屋部２２の外壁には特殊外壁パネル３として金属調パネル２５を貼設して、金属光沢により軽快感を与えている。
【００１３】
前述の石調パネル２４及び金属調パネル２５は、特殊外壁パネル３の一例を示すものであって、これらに限定されるものではなく、石、木材、金属等様々な素材から構成されているパネルを使用することができる。
さらに、住宅２０の外壁と同様のコンクリート素材による外壁パネル７であっても、表面に貝や石等を組み込んで凹凸を付けるなどして形状や色調等を住宅２０の外壁と大きく異なるものにして、特殊外壁パネル３とすることもできる。
【００１４】
まず、特殊外壁パネル３としての石調パネル２４から説明する。
本実施例における石調パネル２４は、外壁部分を御影石のブロックを複数組み合わせて並べたように見えるパネルである。
住宅２０の殆ど外壁は基本壁材となるコンクリート素材の外壁パネル７が、貼設されている。そして、住宅２０の外壁であって、アクセントを付けたい部分に特殊外壁パネル３である石調パネル２４を貼設することにしている。該石調パネル２４の基板となる部分は外壁パネル７と同様の構成であって、該基板２４ｄの外壁部に石調壁材２４ｃを貼設して構成している。
【００１５】
次に、石調パネル２４の取付構造について説明する。
図３乃至図５に示す如く、石調パネル２４の取付構造は、梁４の上フランジ４ｂ及び下フランジ４ａ下面に固定された梁固定部材５と、該梁固定部材５下面に固定された取付部材６と、梁４と梁４の間に配設された石調パネル２４と、石調パネル２４の裏面側上部左右および下部左右にそれぞれ固定された係合部８ａを有する取付金具８とから構成されている。
図３においては、梁４の上フランジ４ｂと下フランジ４ａ夫々に石調パネル２４を貼設しているが、夫々のパネル取付構造において、石調パネル２４の支持位置が、該石調パネル２４の貼設される位置に応じて、適宜変更されるために異なるが、その取付構造は、梁４の上下略中央に対して上下略対称であるので、以下では梁４の上フランジ４ｂへの石調パネル２４の取付構造について説明する。
【００１６】
前記梁固定部材５は方形の鋼板で形成されており、梁４に固定するためのボルト穴５ａを有し、上面には取付部材６が固定されている。
また、前記取付部材６はリップ山形鋼で形成されており、垂直部６１の先端に内方に向かうリップ部６１ａを有し、該リップ部６１ａは取付金具８の係合部８ａと係合するよう形成されている。この取付部材６は、垂直部６１が室外側に配置され、水平部６２が梁固定部材５の上面に配置されている。
【００１７】
石調パネル２４は押し出し成形されたものであり、複数個の中空部２４ｂが形成されている。また、石調パネル２４の裏面側上部左右および下部左右の所定位置には、いずれか１つの中空部２４ｂに貫通するボルト穴２４ａが形成されている。そして、石調パネル２４のボルト穴２４ａには、中空部２４ｂの端部から挿入されたナット金具１０が予め配設されている。従って、石調パネル２４のボルト穴２４ａに配設されたナット金具１０に取付金具８のボルト穴８ｂを合わせてボルトをねじ込むことにより、石調パネル２４の所定位置に取付金具８を固定することができるように構成されている。
【００１８】
この石調パネル２４に配設されたナット金具１０に、取付金具８がボルト止めされている。この取付金具８は、鋼板を折曲して形成され、その一端部に断面略Ｕ字状の係合部８ａを有している他、長穴状のボルト穴８ｂが形成されている。この取付金具８のうち、石調パネル２４の裏面側下部左右に固定された取付金具８は、その係合部８ａが下方となるように配置されており、石調パネル２４の裏面側上部左右に固定された取付金具８は、その係合部８ａが上方となるように配置されている。
【００１９】
次に、石調パネル２４を梁４に取り付ける手順について説明する。
図４に示すように、梁４の上フランジ４ｂ上面に梁固定部材５を配置し、その長穴状ボルト穴５ａと梁４の下フランジ４ａに設けられたボルト穴にボルト１２を挿通してナット１３で固定する。
このとき、石調パネル２４の取付位置を調整するため、梁固定部材５の出入調整を行う。例えば、石調パネル２４を所定の距離だけ室内側にずらして取り付ける場合には、梁固定部材５を所定の距離だけ室内側にずらして梁４に固定すればよい。なお、出入調整は、梁固定部材５に設けられた長穴状ボルト穴５ａの範囲内で行われる。
【００２０】
次いで、クレーン等を利用して石調パネル２４を吊り上げ、その下端部を梁固定部材５に載置した後、石調パネル２４の裏面側上部左右に仮止めされた取付金具８の係合部８ａを取付部材６のリップ部６１ａに係合させ、ボルト１１を締め付ける。
【００２１】
この結果、取付部材６のリップ部６１ａに取付金具８を係合させてボルト１１を締め付けるだけの簡単な作業によって、石調パネル２４を梁４に固定することができる。また、取付金具８がリップ部６１ａに係合していることにより、地震などによっても、石調パネル２４が水平移動することがない他、取付金具８が回転して取付部材６から離脱することもないことから、石調パネル２４を梁４と梁４の間に確実に固定することができる。
【００２２】
ここで、特殊外壁パネル３としての金属調パネル２５について説明する。
【００２３】
本実施例の金属調パネル２５では、該金属調パネル２５を構成する金属外壁材２７ａとして、シート状の金属素材でありながら多数の間隙を有するエクスパンドメタルやパンチングメタルを採用して、通風性を有している。住宅２０の基本外壁となる外壁パネル７はコンクリート素材であって、金属調パネル２５は外壁パネル７と大きく異なる質感を有して、住宅２０の外観に強烈であって近代的なイメージを与えるアクセントを付けることができる。
前記金属調パネル２５を住宅２０の外観のアクセントとして採用するに当たって留意しなければならない点は、金属調パネル２５を構成する金属素材が、住宅２０の外壁パネル７を構成するコンクリート素材と比べて耐久年数が短くなることがあるので、金属調パネル２５のメンテナンスがし易いようにしなければならないことである。
【００２４】
そこで、本発明に係る金属調パネル２５は、基板となる外壁パネル７の外側に金属外壁板２７を貼設したものであり、該金属外壁板２７は住宅２０の外側から容易に着脱可能な構成としている。
【００２５】
図７及び図８に示す如く、金属調パネル２５は小部屋部２２の外壁に複数貼設されている。そして、夫々の金属調パネル２５毎に一枚の金属外壁板２７が、該金属調パネル２５の基礎となる外壁パネル７と略等しい大きさに形成されて該外壁パネル７の外側に貼設されている。但し、意匠によっては外壁パネル７と金属外壁板２７の大きさを違えて、金属調パネル２５の外壁部の一部を金属外壁板２７で覆うようにすることもできる。
【００２６】
外壁パネル７は地震が発生したときに、住宅２０の躯体を構成するフレームのしなりに追従しながら揺れて（ロッキング）、エネルギーを吸収し、外壁のひび割れや破損脱落を防ぐようにして、耐震構造が施されている。
しかし、金属外壁板２７を壁一面にわたる一体的なものとして構成すれば、地震発生時に金属外壁板２７が外壁パネル７の揺れを阻止してしまい、耐震構造が機能しなくなることが予想される。
従って、外壁パネル７毎に一枚の金属外壁板２７を貼設することで外壁パネル７の振動に一体となって金属外壁板２７が振動し、外壁パネル７に金属外壁板２７を貼設しても外壁パネル７の耐震構造に支障を来さないようにしている。
【００２７】
また、外壁に金属調パネル２５を貼設した小部屋部２２は、本屋２１の上方に位置して本屋２１部の換気機構を有している。従って、小部屋部２２には換気口であるがらり２８が設けられることになる。一般的に見られるがらり２８は金属製で、矩形状又は円状に形成された枠の内周部に、細長い薄板を傾斜させて並べて開口したものであって、該がらり２８によって室内と室外の空気の往来を可能にしている。そして多くの住宅２０では、外壁に設けられ、外観を損ねないように外壁の上方のなるべく目立たない位置や床下に配設している。
【００２８】
図２に示す如く、小部屋部２２の外壁である金属調パネル２５の基礎である外壁パネル７にも外部へ向かって開口するがらり２８が設けられるが、該がらり２８の外側にはがらり２８を含めた外壁パネル７の外壁面全体を覆う金属外壁板２７が貼設されているので、がらり２８が隠蔽される。前述の如く金属外壁板２７は通風性を有しているので、がらり２８の換気機構を阻害することはない。
【００２９】
従って、小部屋部２２の外観では金属調パネル２５だけが露出するので、金属外壁板２７を貼設しても統一感があり雑なイメージを与えずに、住宅２０全体の外観に軽快な高級感を与えるアクセントとなっている。また、がらり２８は金属外壁板２７で隠蔽されるので、がらり２８の配設位置を比較的自由に選択することができる。よって、がらり２８をより効率良く換気機能を発揮できる位置に設けることができるようになる。
なお、この効果は前記がらり２８に限られるものではなく、外壁面に他の付帯物を設けるときも同様に住宅の外観の意匠を保持しながら設けることができる。
【００３０】
次に、前記金属外壁板２７の外壁パネル７への取付構造について説明する。
【００３１】
前述の如く、金属調パネル２５は、金属外壁板２７を外壁パネル７の外側に着脱可能に取り付けて構成している。図８乃至図１０に示す如く、小部屋部２２の外壁には金属調パネル２５が貼設されている。金属調パネル２５の基板となる外壁パネル７の、住宅２０躯体側への取付構造は、前述の石調パネル２４の住宅２０躯体側への取付構造と同様であるので、同様の部材には同符合を付して説明を省略する。
【００３２】
上述の如く、住宅の外側に貼設された外壁パネル７の外壁側に金属外壁板２７が貼設されている。
該金属外壁板２７は、軒天井板２９より下方から屋根３０より立ち上がり部３１を残した上方までの高さであって、一枚の外壁パネル７と略等しい巾を有するパネルである。そして、このようにして構成された金属調パネル２５が並列して小部屋部２２の外壁を覆っている。
なお、上述の如く金属外壁板２７の下端と屋根３０の上面の間には立ち上がり部３１を設けて小部屋部２２の金属調パネル２５の外観にさらにアクセントを設けている。立ち上がり部１３１には外壁パネル７の外側に屋根３０から続く防水性を有する外壁シート３１ａが貼設されていて、アクセントを付けると共に防水性を向上させている。
【００３３】
図９及び図１０に示す如く、前記金属外壁板２７は金属外壁材２７ａ及び取付枠２７ｂとで構成されている。本実施例においては、金属外壁材２７ａとしてエクスパンドメタルやパンチングメタル等の変形し易く形状が一定でないシート状のものを金属外壁材２７ａとして利用しているために、取付枠２７ｂに金属外壁材２７ａを貼設することで金属外壁板２７に剛性を付けて取付作業が簡易となるように、また、金属外壁板２７が住宅２０の外壁に貼設されたときに折れ曲がったり撓んだりして美観を損ねることのないようにしている。
【００３４】
取付枠２７ｂは断面略コ字形状の鋼材で四角形を形成して金属外壁材２７ａを取り付ける枠組を形成している。
前記取付枠２７ｂは断面略コ字形状であり、壁側片２７ｂｂ及び外側片２７ｂａの二つの垂直片を有するが、これらの垂直片のうち壁側片２７ｂｂを長尺として、側面視において壁側片２７ｂｂ及び外側片２７ｂａの重ならない部分に、外壁パネル７に金属外壁板２７を取り付けるための、螺子を貫入する孔２７ｃが穿設されている。また、同じく取付枠２７ｂの外側片２７ｂａには金属外壁材２７ａが貼設される。
なお、金属外壁材２７ａは取付枠２７ｂに溶接固定しても良いし、ボルト等の固定部材で固定するようにしても構わない。
【００３５】
そして、前記金属外壁板２７を外壁パネル７に取り付けるときには、外壁パネル７に設けられた螺子孔に、前記取付枠２７ｂに穿設した孔２７ｃを貫通する螺子３２を嵌入して外壁パネル７と取付枠２７ｂとを固定する。この螺設作業は、金属外壁板２７の外側から金属外壁材２７ａに形成されている間隙に工具を差し込んで螺子３２を回すことができるので、簡易である。また、金属外壁板２７の取り外し作業においても、金属外壁板２７の外側から金属外壁材２７ａの間隙に工具を差し込んで螺子３２をゆるめて外すのみの作業となり簡易である。
【００３６】
従って、金属外壁板２７を交換する際には、外壁パネル７を住宅２０の躯体から取り外す必要はなく金属外壁板２７のみを簡易に取り外しできる。また、金属外壁板２７は外壁パネル７への取付は簡易であるが十分な強度をもって支持固定されており、さらに、エクスパンドメタルやパンチングメタル等の軽量の金属外壁材２７ａが利用されているため、金属外壁板２７が外壁パネル７に与える負担は少ない。
このようにして、質感の異なる壁材を外壁パネル７の外側に貼設することで、大きく雰囲気が変わって外観にアクセント付けている。
【００３７】
さらに、上述の如く構成された金属調パネル２５は金属外壁板２７の着脱が簡易であるので、特に、住宅２０の立地によって強く風雨が外壁に当たる住宅２０の外壁面に金属調パネル２５を貼設して金属調パネル２５の構造を利用することもできる。このようなときには、定期的に金属外壁板２７のみを取り替えれば、低コスト且つ簡易に住宅２０のメンテナンスができるので、容易に美観を回復することができる。このようにして、金属調パネル２５で住宅２０の外観にアクセントを付けると共に、外壁の耐久性を向上させることもできる。
また、金属調パネル２５の金属外壁板２７は住宅２０の躯体ではなく、外壁パネル７に固定するので、既存の住宅２０に金属外壁板２７を後付けして金属調パネル２５を構成することも可能であり、住宅２０をリフォームするときにも有効に利用できる。
【００３８】
【発明の効果】
本発明は、以上のように構成したので、以下に示すような効果を奏する。
【００３９】
躯体の外側に複数の外壁パネル（７）を貼設して外壁を構成する住宅において、外壁パネル（７）の外壁面に異なる素材を貼設して特殊外壁パネル（３）を構成し、住宅（２０）の外壁部に部分的に配置し、前記特殊外壁パネル（３）は金属素材が用いられた金属調パネル（２５）とし、該金属調パネル（２５）は、外壁パネル（７）に金属外壁板（２７）を、隣接する外壁パネル（７）の境界を跨がないように、着脱可能に貼設して構成し、該金属外壁板（２７）は金属外壁板（２７ａ）と取付枠（２７ｂ）で構成し、該金属外壁板（２７ａ）をエクスパンドメタル又はパンチングメタルで構成し、該取付枠（２７ｂ）は断面略コ字形状に構成し、壁側片（２７ｂｂ）及び外側片（２７ｂａ）の二つの垂直片を有し、該壁側片（２７ｂｂ）を長尺として、側面視において壁側片（２７ｂｂ）及び外側片（２７ｂａ）の重ならない部分に、前記外壁パネル（７）に金属外壁板（２７）を取り付けるための、螺子（３２）を貫入する孔（２７ｃ）を穿設し、前記外側片（２７ｂａ）には金属外壁板（２７ａ）を貼設し、前記金属外壁板（２７）を外壁パネル（７）に取り付ける時は、外壁パネル（７）に設けられた螺子孔に、前記取付枠（２７ｂ）に穿設した孔（２７ｃ）を貫通して螺子（３２）を嵌入し、該金属外壁板（２７）の外側から金属外壁板（２７ａ）に形成されている間隙に工具を差し込んで、前記螺子（３２）を回して、外壁パネル（７）と取付枠（２７ｂ）とを固定するので、単調になりがちなコンクリート素材による外壁に、強烈なインパクトを与えたり、また周囲の環境と調和するイメージを与えたりする等のアクセントを付けて、住宅の外観に人に優しい味わい、地域や街並みとのなじみ感及び調和感を付加する。
【００４０】
また、前記特殊外壁パネルは金属素材が用いられた金属調パネルとしたので、採用する金属の種類によっては、住宅の外観に高級感や濃厚な重圧感を与えたり、また、住宅の外観に軽快でシャープなイメージを与えたりして、住宅の外観に個性的なアクセントを付けることができる。
【００４１】
また、前記金属調パネルは、外壁パネルに金属外壁板を着脱可能に貼設して構成したので、外壁パネルと金属外壁材との耐用年数に差が生じたとしても、容易に金属外壁材のみを取り替えることができるので、簡易に住宅の外壁の美観を回復することができる。
【００４２】
また、前記金属調パネルを構成する金属外壁板は、隣接する外壁パネルの境界を跨がないように付設したので、地震発生時に、外壁パネルの振動に一体となって金属外壁板が振動し、外壁パネルに金属外壁板を貼設しても外壁パネル７の耐震構造に支障を来さない。
【００４３】
また、前記金属外壁板をエクスパンドメタル又はパンチングメタルで構成したので、金属外壁材は通風性を有し、金属外壁材によってがらり等の外壁面に露出する付帯物を隠蔽することができ、これらの機能を阻害することがない。
また、外壁面の付帯物を自然に隠蔽することができて、配設位置の自由度を高めている。
また、金属外壁板２７の取り外し作業においても、金属外壁板２７の外側から金属外壁材２７ａの間隙に工具を差し込んで螺子３２をゆるめて外すのみの作業となり簡易である。従って、金属外壁板２７を交換する際には、外壁パネル７を住宅２０の躯体から取り外す必要はなく金属外壁板２７のみを簡易に取り外しできる。
また、金属外壁板２７は外壁パネル７への取付は簡易であるが、十分な強度をもって支持固定されており、さらに、エクスパンドメタルやパンチングメタル等の軽量の金属外壁材２７ａが利用されているため、金属外壁板２７が外壁パネル７に与える負担は少ない。
【図面の簡単な説明】
【図１】  本発明の一実施例に係る住宅の全体的な構成を示した側面図。
【図２】  同じく側面図。
【図３】  石調パネルの取付部を示す側断面図。
【図４】  同じく平面図。
【図５】  同じく裏面断面図。
【図６】  同じく取付部を示す側断面拡大図。
【図７】  金属調パネルを貼設した壁を示す側面図。
【図８】  金属調パネルの取付部を示す側断面図。
【図９】  同じく取付部の上部を示す側断面拡大図。
【図１０】  同じく取付部の下部を示す側断面拡大図。
【図１１】  同じく取付部の上部を示す斜視図。
【符号の説明】
３  特殊外壁パネル
７  外壁パネル
２０  住宅
２４  石調パネル
２５  金属調パネル
２７ａ  金属外壁材
【図１】
0003909219.tif 000002
【図２】
0003909219.tif 000003
【図３】
0003909219.tif 000004
【図４】
0003909219.tif 000005
【図５】
0003909219.tif 000006
【図６】
0003909219.tif 000007
【図７】
0003909219.tif 000008
【図８】
0003909219.tif 000009
【図９】
0003909219.tif 000010
【図１０】
0003909219.tif 000011
【図１１】
0003909219.tif 000012